(57)【要約】【課題】複数のボトルを確実に結束することができるだけでなく、配列されたボトルへの組み付け作業が容易に行なえ、また、結束されたボトルを容易に取り外すことができるボトル結束具を提供する。【解決手段】基板３に複数のボトルの頸部が挿通自在の複数の第１挿通穴４を設ける。各第１挿通穴４の内周縁に鍔部に係止する複数の係止片６を設ける。基板３の両側縁に、基板３の裏面側に折り返して重合される一対の折返し片１１，１２を設ける。各折返し片１１，１２に、ボトルの頸部が挿通自在の第２挿通穴１３，１５を設ける。【選択図】図２
2004189243.tif 000002
【特許請求の範囲】
【請求項１】
複数の合成樹脂製ボトルの頸部を結束保持する板紙によって形成されたボトル結束具において、
略矩形状の基板と、
該基板の所定位置に貫通して形成されて、各ボトルの頸部が各別に挿通自在の複数の第１挿通穴と、
各第１挿通穴の内周縁に配設され、該第１挿通穴に挿通された前記ボトルの頸部の側壁に沿って上方に折れ曲がって該ボトルの頸部の外周に突設された鍔部に係止する複数の係止片と、
前記基板の両側縁のそれぞれに折目線を介して連設され、該基板の裏面側に折り返して重合される一対の折返し片とを備えてなり、
各折返し片は、前記基板の裏面側に折り返されたときに前記第１挿通穴に対応してボトルの頸部が挿通自在に形成された第２挿通穴を備えることを特徴とするボトル結束具。
【請求項２】
前記基板の各第１挿通穴は、２列に配列された複数のボトルの各頸部に対応して２列に配設され、
前記各折返し片は、ボトルの配列方向に沿った前記基板の側縁に連設されていることを特徴とする請求項１記載のボトル結束具。
【請求項３】
前記各折返し片は、ボトルの配列方向に沿った一端部に単一の前記第２挿通穴を備え、
一方の折返し片の第２挿通穴と他方の折返し片の第２挿通穴とは基板の略対角位置に対応して設けられていることを特徴とする請求項２記載のボトル結束具。
【請求項４】
前記各折返し片は、前記第２挿通穴を除く先端縁に、各第１挿通穴に対応する半円状の凹部が形成されていることを特徴とする請求項２又は３記載のボトル結束具。
【請求項５】
前記基板には、該基板の外側縁から２列に配設された各第１挿通穴の列間に沿って引き裂くことにより各第１挿通穴における頸部の保持を解除する破断可能部が設けられ、
前記各折返し片には、前記第２挿通穴の一部を分断して頸部の挿通状態を解除する切込が設けられていることを特徴とする請求項２乃至４の何れか１項記載のボトル結束具。
【請求項６】
前記基板の周縁の一部に、所定の表示が施される舌片が連設されていることを特徴とする請求項１乃至５の何れか１項記載のボトル結束具。
【請求項７】
前記基板には、手指を挿入して把持可能とする把持穴が形成されていることを特徴とする請求項１乃至６の何れか１項記載のボトル結束具。
【発明の詳細な説明】
【０００１】
【発明の属する技術分野】
本発明は、複数の合成樹脂製ボトルを一体的に結束するボトル結束具に関する。
【０００２】
【従来の技術】
近年、飲料水等を収容する合成樹脂製ボトル（例えばＰＥＴボトル）は、複数本を束ねた状態での展示・販売が行なわれている。そして、複数本のボトルを束ねるために、ボトル結束具が用いられることが知られている。
【０００３】
この種のボトル結束具は、例えば、下記特許文献１に見られるように、一枚の厚紙製の基板にボトルの頸部に形成された鍔部の径よりも大きい穴が、６本のボトルの配列に対応して６個形成されている。基板には、該基板の上面に折り返す折返し片が連設されている。折返し片には、折り返したときに前記穴に挿通されたボトルの鍔部の下部に当接して前記ボトルの落下を阻止する半円状の凹部が形成されている。
【０００４】
ところで、特許文献１のようなボトル結束具によって複数（６本）のボトルを束ねるときには、基板を水平に保ちつつ各穴を６本のボトルの頸部に同時に挿通させて組み付けることが行なわれるが、６本のボトルの配列状態に位置ズレや基板の歪みが生じやすく、組み付け作業が煩わしいだけでなく各穴へのボトルの頸部の挿通が不十分となる不都合がある。これによって、各ボトルの結束状態を確実に維持することができず、持ち上げた際にボトルが脱落するおそれがある。
【０００５】
また、特許文献１のようなボトル結束具においては、基板の上面に重合する折返し片がボトルの鍔部の下方に強固に嵌め込まれているため、基板から各ボトルを取り外すことが困難となる不都合がある。
【０００６】
【特許文献１】
特開平１１−１３０１２８号公報
【０００７】
【発明が解決しようとする課題】
かかる不都合を解消して、本発明は、複数のボトルを確実に結束することができるだけでなく、配列されたボトルへの組み付け作業が容易に行なえ、また、結束されたボトルを容易に取り外すことができるボトル結束具を提供することを目的とする。
【０００８】
【課題を解決するための手段】
かかる目的を達成するために、本発明は、複数の合成樹脂製ボトルの頸部を結束保持する板紙によって形成されたボトル結束具において、略矩形状の基板と、該基板の所定位置に貫通して形成されて、各ボトルの頸部が各別に挿通自在の複数の第１挿通穴と、各第１挿通穴の内周縁に配設され、該第１挿通穴に挿通された前記ボトルの頸部の側壁に沿って上方に折れ曲がって該ボトルの頸部の外周に突設された鍔部に係止する複数の係止片と、前記基板の両側縁のそれぞれに折目線を介して連設され、該基板の裏面側に折り返して重合される一対の折返し片とを備えてなり、各折返し片は、前記基板の裏面側に折り返されたときに前記第１挿通穴に対応してボトルの頸部が挿通自在に形成された第２挿通穴を備えることを特徴とする。
【０００９】
本発明のボトル結束具を複数のボトルに組み付けるときには、先ず、前記両折返し片を基板の裏面方向に折返して、各折返し片に設けられた前記第２挿通穴をボトルの頸部に挿通させる。こうすることにより、ボトルの頸部が折返し片を介して基板の第１挿通穴の下方に対向して位置決めされる。次いで、基板をボトルの方向に押し下げて各第１挿通穴にボトルの頸部を挿通させる。このとき、基板の下降に相対してボトルの頸部が第２挿通穴により第１挿通穴に向って確実に案内されるので、ボトルの頸部を第１挿通穴に円滑且つ確実に挿通させることができる。更に、該第１挿通穴に設けられた係止片は、該第１挿通穴へのボトルの頸部の挿入に伴ってボトルの頸部の外壁に沿って起立し、ボトルの鍔部の下方に入って該鍔部を係止する。これにより、第１挿通穴からのボトルの鍔部の抜け落ちを防止することができる。一方、ボトルの頸部が第２挿通穴に挿通して基板の裏面側に重合された折返し片は、第２挿通穴を介してボトルの頸部の下方に挟み込まれて基板との重合状態が維持される。これによって、基板の両側縁を補強して基板の強度を向上させることができ、基板が不用意に破断される等によるボトルの脱落を確実に防止することができる。
【００１０】
また、本発明の好ましい態様として、前記基板の各第１挿通穴は、２列に配列された複数のボトルの各頸部に対応して２列に配設され、前記各折返し片は、ボトルの配列方向に沿った前記基板の側縁に連設されていることが挙げられる。これにより、各折返し片がボトルの各列に沿って設けられているので、各ボトルに対応する基板の側縁を補強することができ、第１挿通穴を設けたことによる基板の強度低下を防止することができる。
【００１１】
また、このとき、前記各折返し片は、ボトルの配列方向に沿った一端部に単一の前記第２挿通穴を備え、一方の折返し片の第２挿通穴と他方の折返し片の第２挿通穴とは基板の略対角位置に対応して設けられていることが好ましい。２列に配列されたボトルを前記基板により結束するとき、両折返し片を基板の裏面側に折り返した後、基板の略対角位置に対応するボトルの頸部のみが第２挿通穴に挿通される。そして、各折返し片の第２挿通穴をそれぞれ単一としても、両第２挿通穴が互いに基板の対角位置に対応して設けられていることで、十分にボトルの頸部を基板の第１挿通穴に精度良く案内することができる。しかも、折返し片における第２挿通穴以外の位置においては、該折返し片の幅寸法を比較的小とすることができ、材料の使用量を削減してコストを低減するこができる。
【００１２】
また、このとき、前記各折返し片は、前記第２挿通穴を除く先端縁に、各第１挿通穴に対応する半円状の凹部が形成されていることが好ましい。これにより、各第１挿通穴の内縁の一部を半円状の凹部によって補強することができ、第１挿通穴を設けたことによる基板の強度低下を防止することができる。
【００１３】
また、本発明において、前記基板には、該基板の外側縁から２列に配設された各第１挿通穴の列間に沿って引き裂くことにより各第１挿通穴における頸部の保持を解除する破断可能部が設けられ、前記各折返し片には、前記第２挿通穴の一部を分断して頸部の挿通状態を解除する切込が設けられていることを特徴とする。
【００１４】
これにより、破断可能部を破断するだけで、各第１挿通穴を容易に開放することができるので、基板からボトルを取り外す際の作業を容易とすることができる。更に、第２挿通穴の一部が前記切込により分断されるので、第２挿通穴の開放が容易とされ、基板からのボトルの取り外しの際に、第２挿通穴へのボトルの頸部の挿通状態を極めて容易に解除することができる。
【００１５】
また、前記基板の周縁の一部に、所定の表示が施される舌片を連設することにより、所定の表示（例えば商品情報を示すバーコード等）を視認しやすい位置に設けることができる。
【００１６】
更に、前記基板に、手指を挿入して把持可能とする把持穴を形成しておくことにより持ち運びを容易とすることができる。
【００１７】
【発明の実施の形態】
本発明の一実施形態を図面に基づいて説明する。図１は本実施形態のボトル結束具によるボトルの結束状態を示す説明的斜視図、図２は本実施形態のボトル結束具を示す展開図、図３は折返し片を折り返した状態の平面図、図４はボトルの結束作業を示す説明図、図５は第１挿通穴におけるボトルの頸部の係止状態を示す説明的断面図、図６はボトルの取外し工程を示す説明図である。
【００１８】
本実施形態のボトル結束具１は、図１に示すように、３本ずつ２列に配列された６本の合成樹脂製ボトル２を一体的に結束するものであり、図２に示すように、板紙を打抜くことによって構成されている。該ボトル結束具１は、大略矩形状の基板３を備え、該基板３にはボトル２の配列に対応する６個の第１挿通穴４が形成されている。各第１挿通穴４は、ボトル２の頸部５、即ち、キャップ５ａ及び鍔部５ｂが挿通可能な大きさに形成されている。各第１挿通穴４の内周縁には、所定間隔を存して複数の係止片６が連設されている。
【００１９】
また、各第１挿通穴４の列間には、各列の第１挿通穴４に沿って断続する切れ目７が一対ずつ設けられ、各切れ目７を結ぶ２列の直線間が破断可能な破断可能部８とされている。該破断可能部８の両端には破断開始用の突片９が形成されている。各突片９は、その基端部が前記切れ目７に連続しており、後述するが、突片９を上方に引き裂くように持ち上げることによって、各第１挿通穴４を形成する基板３の一部が破断されるようになっている。
【００２０】
更に、基板３の中央位置には指を挿入して基板を把持することができる一対の把持穴１０が形成されており、該把持穴１０に指を挿し込んで基板３を介して結束状態のボトル２を持ち運ぶことができる。
【００２１】
また、前記基板３の各第１挿通穴４の配列方向に沿った両端縁には、それぞれ折目線ａ，ｂを介して折返し片１１，１２が連設されている。両折返し片１１，１２は、図３に示すように、基板３の裏面側に折り返して重合される。図２に示すように、一方の折返し片１１には単一の第２挿通穴１３が設けられ、２つの凹部１４が形成されている。他方の折返し片１２には第２挿通穴１５と凹部１６とが一つずつ形成されている。各第２挿通穴１３，１５は、各第１挿通穴４と同様に、ボトル２の頸部５におけるキャップ５ａ及び鍔部５ｂが挿通可能な大きさに形成されている。各折返し片１１，１２の各第２挿通穴１３，１５の周囲を形成している部分には各第２挿通穴１３，１５を開放させるための切込１７が形成されている。
【００２２】
そして、一方の折返し片１１の第２挿通穴１３と他方の折返し片１２の第２挿通穴１５とは基板３の略対角位置に対応して設けられている。即ち、図３に示すように、一方の第２挿通穴１３は、折返し片１１が基板３の裏面側に折り返されたとき基板３の一方の端部に位置する第１挿通穴４に対応し、他方の第２挿通穴１５は、基板３の一方の端部に位置する第１挿通穴４に対応するように設けられている。更に、両折返し片１１，１２が基板３の裏面側に折り返されたとき、各凹部１４，１６は第１挿通穴４の一部において略半円に対応する。
【００２３】
また、他方の折返し片１２に隣接する基板３の側縁の一部には、図２に示すように、該折返し片１２から切れ目１８によって分割して形成された舌片１９が連設されている。該舌片１９には、例えば商品情報を示すバーコード等の表示２０を設けることができるようになっている。
【００２４】
以上の構成からなるボトル結束具１によってボトル２を結束するときには、先ず、図３に示すように、両折返し片１１，１２を基板３の裏面側に折り返す。次いで、図４（ａ）に示すように、第２挿通穴１３，１５をボトル２の頸部５に挿通する。これにより、基板３が位置決めされて、各第１挿通穴４とボトル２の頸部５とが対向した状態となる。
【００２５】
続いて、図４（ｂ）に示すように、基板３を押し下げると、ボトル２の頸部５が第２挿通穴１３，１５に案内されると共に、ボトル２の頸部５が各第１挿通穴４に精度良く挿通される。このとき、ボトル２の頸部５の第２挿通穴１３，１５への挿通状態が維持されるので、基板３に歪みが生じることなく、ボトル２の頸部５は的確に各第１挿通穴４に挿通される。そしてこのとき、各係止片６がボトル２の頸部５に摺接されて起立する。
【００２６】
その後、更に基板３を押し下げると、図５に示すように、係止片６がボトル２の鍔部５ｂの下方に入り込み、抜け止め状態で頸部５が保持される。このようにして、図１に示すようにボトル２の結束状態を形成することができ、前記把持穴１０を把持して一体的に持ち運ぶことができる。
【００２７】
また、本実施形態のボトル結束具１においてボトル２の結束状態を解除する場合には、先ず、図６（ａ）に示すように、破断可能部８の一端の突片９を上方に引き裂くように持ち上げる。これにより、第１挿通穴４に保持されたボトル２の頸部５が開放状態となり、図６（ｂ）に示すように、ボトル２を引っ張るだけで、基板３による結束が解除される。更に、折返し片１１（１２）は図示するように前記切込１７において分断されて第２挿通穴１３（１５）における挿通状態が解除される。このように、破断可能部８を破断することによって、ボトル２を容易に取り外すことができる。
【００２８】
なお、本実施形態においては、６本のボトル２を結束するボトル結束具１を示したが、前記第１挿通穴４の数を加減することによって所望の数のボトルを結束することができる。
【００２９】
また、本実施形態においては、それぞれの折返し片１１，１２に前記第２挿通穴１３，１５を一つずつ設けたものを示したが、図示しないが、各折返し片１１，１２に複数の第２挿通穴が設けられていても本実施形態と同様の効果を得ることができる。
【図面の簡単な説明】
【図１】本発明の一実施形態のボトル結束具によるボトルの結束状態を示す説明的斜視図。
【図２】本実施形態のボトル結束具を示す展開図。
【図３】折返し片を折り返した状態の平面図。
【図４】ボトルの結束作業の一工程を側面示する説明図。
【図５】第１挿通穴におけるボトル頸部の係止状態を示す説明的断面図。
【図６】ボトルの取外し工程を示す説明図。
【符号の説明】
１…ボトル結束具、２…ボトル、３…基板、４…第１挿通穴、５…頸部、５ｂ…鍔部、６…係止片、８…破断可能部、１０…把持穴、１１，１２…折返し片、１３，１５…第２挿通穴、１４，１６…凹部、１７…切込、１９…舌片。
【図１】
2004189243.tif 000003
【図２】
2004189243.tif 000004
【図３】
2004189243.tif 000005
【図４】
2004189243.tif 000006
【図５】
2004189243.tif 000007
【図６】
2004189243.tif 000008